(57)【特許請求の範囲】
【請求項１】
透過性の基板と、前記基板の前面側に設けられた艶調整層と、前記基板の裏面側のみに設けられた網目状の模様印刷層と、前記模様印刷層の背後に設けられ表示部を有する地色層と、を備え、前記模様印刷層と前記基板との間に、前記模様印刷層を視認可能な有色の透視層を設けたことを特徴とする表示板。
【請求項２】
前記模様印刷層には金属粉が含有されていることを特徴とする請求項１に記載の表示板。
【発明の詳細な説明】
【技術分野】
【０００１】
本発明は、例えば車両の計器装置に用いられる表示板に関し、特に網目状の模様印刷層が設けられた表示板に関するものである。
【背景技術】
【０００２】
車両用の計器装置に於いて、昼間時と夜間時とで計器装置の見栄えを異ならせたものとして、例えば下記特許文献１がある。特許文献１に記載の計器は、表示意匠２４６を設けた第２の文字板２４の前面側に金属製のメッシュ板２３を配置することによって、第２の文字板２４の背後に配置された光源の消灯時（昼間時）には表示意匠２４６が殆ど見えなくて金属調に視認され、光源の点灯時（夜間時）には表示意匠２４６がメッシュ板２３を介して視認されるというものである。
【特許文献１】特開２００５−７７２０８号公報
【発明の開示】
【発明が解決しようとする課題】
【０００３】
しかしながら、特許文献１に於けるメッシュ板２３は金属製であり、コスト高で重量も重い。また、表示意匠２４６を設けるには金属製のメッシュ板２３の背後に第２の文字板２４を配置しなければならず、部品点数も増え、更にコスト高となってしまう。
【０００４】
本発明はこの様な点に鑑みなされたもので、単純な構成で、表示部を有し金属感を表現できる表示板を提供することを目的とする。
【課題を解決するための手段】
【０００５】
本発明は前記目的を達成するため、透過性の基板と、前記基板の前面側に設けられた艶調整層と、前記基板の裏面側のみに設けられた網目状の模様印刷層と、前記模様印刷層の背後に設けられ表示部を有する地色層と、を備え、前記模様印刷層と前記基板との間に、前記模様印刷層を視認可能な有色の透視層を設けたものである。
【０００６】
また、前記模様印刷層には金属粉が含有されているものである。
【発明の効果】
【０００９】
単純な構成で、表示部を有し金属感を表現できる表示板を得ることができる。
【発明を実施するための最良の形態】
【００１０】
図１は、本発明の第１実施形態を示す表示板の部分断面図である。表示板１は、透過性である例えば無色透明な合成樹脂からなる基板２の表面側に網目状の不透過性である模様印刷層３が設けてある。この模様印刷層３は、例えば透明インクの中に金属粉であるアルミニウム粉が混入されたインクを網目状の非印刷部４（抜き印刷部）が形成されるように設けたものであり、印刷部５は金属調（アルミ調）を有している。網目状である非印刷部４は円形でも角形でも良く、大きさも任意であるが、本実施形態の場合、径が0.3〜1.0mmの円としてある。
【００１１】
また、基板２の背面側（裏面側）には不透過性である例えば黒色の地色層６が印刷によって設けてあり、地色層６には表示部７が形成されている。表示部７は、車両の作動状態あるいは異常内容などを示すもので、例えばエンジンオイルの圧力又は量の低下を示すエンジンオイル表示、或いはアッパービームの点灯を示すアッパービーム表示などである。この表示部７は地色層６を印刷する際、地色層６が印刷されない非印刷領域Ｓを設け、この非印刷領域Ｓ内に例えばエンジンオイル表示（表示部７）を黒色の印刷によって設けたものである。エンジンオイル表示と地色層６は同一工程で印刷すれば良い。なお、非印刷領域Ｓを設けず、地色層７を印刷する際にエンジンオイル表示が印刷されない（抜き印刷する）ようにしても良い。
【００１２】
この様に構成された表示板１は、昼間など周囲が明るい時にはアルミニウム粉が混入されている模様印刷層３によってアルミ調で視認される。また、図示しないが、エンジンオイル表示の背後に配置された光源としての赤色で発光する発光ダイオードが点灯した際は、非印刷領域Ｓが赤色で透過照明され、エンジンオイル表示（表示部７）が模様印刷層３の非印刷部４を通して黒色で視認される。
【００１３】
この様に、透過性の基板２の表面側にアルミニウム粉が混入された網目状の模様印刷層３を設け、基板２の背面側に表示部７を有する地色層６を設けた表示板１としたことにより、従来の様に金属製のメッシュ板と意匠表示板の両方を用いることなく、単純な構成で以て、表示部７を有し金属感を表現できる表示板１を得ることができる。また、表示部７を基板２の背面側に設けることにより、基板２の表面側に表示部７の印刷段差が現れず、表示板１のデザイン性が向上すると共に、表示部７のシークレット性が向上する。
【００１４】
図２は、本発明の第２実施形態を示す表示板の部分断面図である。前記第１実施形態と同一もしくは相当箇所については同一符号を付し、その詳細説明は省略する。
【００１５】
表示板１は、無色透明な基板２の裏面側に網目状の模様印刷層３が設けてある。この模様印刷層３は、前記第１実施形態と同様に、透明インクの中にアルミニウム粉が混入されたインクを網目状の非印刷部４（抜き印刷部）が形成されるように設けたものである。また、模様印刷層３の背後に表示部７（エンジンオイル表示）を有する黒色の地色層６が印刷によって設けてある。また、基板２の表面側には艶調整層としての無色透明な艶消し層８が印刷によって設けてある。
【００１６】
この様に構成された表示板１は、前記第１実施形態と同様に、昼間など周囲が明るい時には網目状の模様印刷層３がアルミ調で視認される。この際、艶消し層８が設けてあるため、艶消し状態のアルミ調で視認される。また、図示しないが、エンジンオイル表示の背後に配置された赤色で発光する発光ダイオードが点灯した際は、非印刷領域Ｓが赤色で透過照明され、エンジンオイル表示（表示部７）が模様印刷層３の非印刷部４を通して黒色で視認される。
【００１７】
この様に、透過性の基板２の裏面側にアルミニウム粉が混入された網目状の模様印刷層３と、この模様印刷層３の背後に表示部７を有する地色層６を設けたことにより、前記第１実施形態と同様に、単純な構成で以て、表示部７を有し金属感を表現できる表示板１を得ることができる。
【００１８】
また、基板２の表面側に無色透明な艶消し層８を設けたことにより、外光による表示板１表面での反射を抑えて模様印刷層３および発光ダイオードが点灯した際の表示部７の視認性を高めることができる。なお、艶調整層として艶消し層８を設けたが、艶消しに限定するものではなく、艶有り状態でも半艶状態であっても良く、模様印刷層３を所望する艶状態とすることができる。
【００１９】
図３は、本発明の第３実施形態を示す表示板の部分断面図である。前記各実施形態と同一もしくは相当箇所については同一符号を付し、その詳細説明は省略する。
【００２０】
本実施形態に於ける表示板１は、前記第２実施形態に於ける表示板１の模様印刷層３の前面側（基板２と模様印刷層３との間）に模様印刷層３が視認可能である有色の透視層９を印刷によって設けたものである。他は前記第２実施形態と同じである。この透視層９は例えば灰色からなり、基板２の表面側であっても良い。
【００２１】
この様に構成された表示板１は、昼間など周囲が明るい時には、アルミ調の模様印刷層３の前面側に灰色の透視層９が設けてあるために、模様印刷層３がアルミ調と言うよりはステンレス調に視認される。
【００２２】
また、図示しないが、前記第２実施形態と同様に、エンジンオイル表示の背後に配置された赤色で発光する発光ダイオードが点灯した際は、非印刷領域Ｓが赤色で透過照明され、エンジンオイル表示（表示部７）が模様印刷層３の非印刷部４を通して黒色で視認される。この際、模様印刷層３の前面側に灰色の透視層９が設けてあるが、透視層９の透明度が高いため、前記第２実施形態と比べても非印刷部４および表示部７の色調変化は少ない。
【００２３】
この様に構成したことにより、前記各実施形態と同様に、単純な構成で以て、表示部７を有し金属感を表現できる表示板１を得ることができると共に、模様印刷層３の前面側に有色の透視層９を設けることによって模様印刷層３を所望する色調にすることができる。
【００２４】
なお、本発明は前記各実施形態に限定されるものではなく、例えば金属粉としてアルミニウム粉を混入したが真鍮粉でも良く、パール顔料（雲母）が混入されたパール感を有する模様印刷層３であっても良い。また、透明インクの中にアルミニウム粉を混入したが、透明インクに限定するものではなく、例えば黒色のインク内にアルミニウム粉を混入したものでも良い。その場合、地色層６は黒色以外の色調である方が望ましい。また、模様印刷層３の色調および艶調整層の艶状態を種々変えることによって模様印刷層３を金属調にイメージさせることが可能なため、金属粉が入っていない模様印刷層３であっても良い。
【図面の簡単な説明】
【００２５】
【図１】本発明の第１実施形態を示す表示板の部分断面図。
【図２】本発明の第２実施形態を示す表示板の部分断面図。
【図３】本発明の第３実施形態を示す表示板の部分断面図。
【符号の説明】
【００２６】
１  表示板
２  基板
３  模様印刷層
６  地色層
７  表示部
８  艶消し層（艶調整層）
９  透視層
【図１】
0005115793.tif 000002
【図２】
0005115793.tif 000003
【図３】
0005115793.tif 000004